(57)【要約】  【課題】  本発明はタッピンネジの締結補助に関し、より詳細にはタッピンネジの締込み時にタッピンネジを締結材に対して垂直に支持する補助具に関するものである。  【解決手段】  本発明のタッピンネジ締込補助具は、円錐筒ガイド部とベース部とから成り、円錐筒ガイド部は上端から挟径して下端まで円錐筒をなし、円錐筒の内壁はネジ頭側面を摺動してガイドすると共に円錐筒側面に第１のミシン目を形成し、ベース部は締結材に当接する平面のほぼ中央に円錐筒ガイド部を立設し、平面に破断容易の第２のミシン目を形成する、よう構成する。【選択図】    図１
2010089207.tif 000002
【特許請求の範囲】
【請求項１】
開口する上端から円錐状に挟径して下端まで円錐筒をなし、該円錐筒の内壁はタッピンネジのネジ頭側面を摺動してガイドし、該下端は該タッピンネジのネジ部を通過させる径で開口し、該円錐筒の側面に該上端から該下端まで破断容易の第１のミシン目を形成した円錐筒ガイド部と、
締結材に当接する平面のほぼ中央に前記下端を下に円錐筒ガイド部を立設し、該平面に形成した貫通穴は該下端の開口に連なり、該平面に前記第１のミシン目に連続して該平面の周縁に向かって破断容易の第２のミシン目を形成したベース部と
を備えることを特徴とするタッピンネジ締込補助具。
【請求項２】
前記タッピンネジ締込補助具は、樹脂で一体成型した
ことを特徴とする請求項１に記載のタッピンネジ締込補助具。
【請求項３】
前記第１と第２のミシン目は、それぞれ複数形成した
ことを特徴とする請求項１または請求項２に記載のタッピンネジ締込補助具。
【請求項４】
開口する上端から円錐状に挟径して下端までの円錐筒を軸方向に２等分割した半円錐筒をなし、該半円錐筒の内壁はタッピンネジのネジ頭側面を摺動してガイドし、該下端は該タッピンネジのネジ部を通過させる径の半径で半円状をなす半円錐筒ガイド部と、
締結材に当接する平面の一つの直線縁部のほぼ中央に、前記下端を下に前記半円錐筒ガイド部の分割面を該直線縁部に合わせて立設し、該直線縁部に形成した凹部は該下端の半円状の縁部に連なり、該平面の締結材に当接する面に磁化された磁性体を貼設したベース部と
を備えることを特徴とするタッピンネジ締込補助具。
【請求項５】
二つのタッピンネジ締込補助部材からなるタッピンネジ締込補助具であって、
前記タッピンネジ締込補助部材は、開口する上端から円錐状に挟径して下端までの円錐筒を軸方向に２等分割した半円錐筒をなし、該半円錐筒の内壁はタッピンネジのネジ頭側面を摺動してガイドし、該下端は該タッピンネジのネジ部を通過させる径の半径で半円状をなす半円錐筒ガイド部と、締結材に当接する平面の一つの直線縁部のほぼ中央に、前記下端を下に前記半円錐筒ガイド部の分割面を該直線縁部に合わせて立設し、該直線縁部に形成した凹部は該下端の半円状の縁部に連なり、該平面の締結材に当接する面に磁化された磁性体を貼設したベース部を有し、
二つの前記タッピンネジ締込補助部材の半円錐筒の前記２等分割した分割面をそれぞれ合わせ、前記ベース部に貼設した磁性体の磁力で該二つのタッピンネジ締込補助部材を相互に吸着した
ことを特徴とするタッピンネジ締込補助具。
【発明の詳細な説明】
【技術分野】
【０００１】
本発明はタッピンネジの締結補助に関し、より詳細にはタッピンネジの締込み時にタッピンネジを締結材に対して垂直に支持する補助具に関するものである。
【背景技術】
【０００２】
タッピンネジは、タッピンネジの先端部に切り刃構造を備え、この切り刃により締結材にタップを切りながら締結するネジである。タッピンネジによる締結は、締結材にタップを施すことが不要になることからコストを削減でき、電気機器等における各種の締結に広く用いられている。 
【０００３】
タッピンネジの締結に際しては、予め締結材にタッピンネジの先端部より一回り大きい下穴を開けておき、この下穴に被締結材に形成した穴を介してタッピンネジの先端部を差し込み締結材に垂直になるように保持しながら（即ち、タッピンネジの軸心と下穴の軸心と一致させるようにしながら）締込み（ネジ込み）を行う。この締込みによりタッピンネジの切り刃が回転し、締結材の下穴の壁面にタップを形成すると共に、締結材と被締結材とを締結する。
【０００４】
上記のタッピンネジによる締結の詳細を図５を用いて説明する。図５はフレーム構造の筐体にタッピンネジを用いて側板を締結する例を示している。締結材２０となるフレームには下穴２１を予め形成しておく。タッピンネジ１０の先端部はテーパー状になっており、その部分に切り刃が形成されている。下穴２１の径はこのタッピンネジ１０の切り刃の先端のネジ山１〜１．５ピッチが入る程度の径で貫通穴である。被締結材３０となる側板にも穴３１を形成しておく。この穴３１の径はタッピンネジ１０の胴部のネジ山の外径より大きく、ネジ頭の外径より小さい径である。
【０００５】
まず、締結材２０の下穴２１に合わせて被締結材３０の穴３１を重ね、タッピンネジ１０の先端部を被締結材３０の穴３１を介して締結材２０の下穴２１に入れる。手でタッピンネジ１０を締結材２０に垂直になるように支え、ドライバー４０を押圧しながら締込みを行う。タッピンネジ１０は締込みにより回転が与えられ、切り刃が締結材２０の下穴２１の内壁を切削しタップを形成する。タッピンネジ１０の先端が締結材２０の板厚を突き出た状態まで締込みがなされると切り刃によるタップの形成を終了し、タッピンネジ１０の胴部のネジ山が形成されたタップ上を摺動する動きとなる。さらに締込みを続けると、タッピンネジ１０のネジ頭の底部が被締結材３０に当たりドライバー４０の回転トルクが大きくなって締込み完了となる。
【０００６】
上記は、タッピンネジ１０の締込みが正常に行われた状態を説明したものであるが、タッピンネジ１０が垂直に保持されずに傾いた状態で締込みが行われると、切り刃が締結材２０の下穴２１を斜めに進みながらタップを切ることになり、タッピンネジ１０の食い込みが起って動かなくなったり、場合によっては締結材２０を破損してしまうこともある。また、タッピンネジ１０を外そうと思っても外すことが困難になる場合も生じる。
【０００７】
タッピンネジの締結時の傾きを抑制する方法として、締結材に形成する下穴をタッピンネジの軸部を内接させる横断面角形の穴とすることにより、下穴とタッピンネジ軸部との接触面積を小さくし、これによりタッピンネジの挿入抵抗を軽減することで傾きを抑制する下穴構造が知られている（特許文献１）。
【０００８】
また、同じ目的の下穴構造として、下穴の入口部がタッピンネジのネジ山の略１ピッチ分の高さにおいて大径で、その大径の底面にタッピンネジのネジ山の傾斜角度に等しい螺旋傾斜面を形成する構造が知られている（特許文献２）。
【０００９】
また、タッピンネジではないが、釘を材料の面に垂直に打ち込むために弾性体の上下面に深さの異なるすり鉢状の窪みを設け、その窪みの中心に釘の胴体部を支持する貫通孔を形成し、貫通孔から側面に向かって釘から取り外すための切欠き溝を設ける釘打ち用の補助具が知られている（特許文献３）。
【特許文献１】特許第３４５６８５４号公報
【特許文献２】特開２００７−１８７３０５号公報
【特許文献３】特許第３６６０６７５号公報
【発明の開示】
【発明が解決しようとする課題】
【００１０】
上述したように、タッピンネジの締込み時にはタッピンネジの軸心と下穴の軸心とを一致させるよう（即ち、タッピンネジが締結材に対して垂直になるよう）に支持しながら締込みを行うことが必要である。このため、従来では手でタッピンネジを締結材に対して垂直に支持しながら締めつけを行うことが行われていたが、手による支持の力は弱く僅かの傾きでも食い込みに移行して充分とは言えなかった。
【００１１】
特許文献１及び特許文献２で知られている下穴構造は、タッピンネジが傾きながら締込みされることを抑制する効果が期待できるが、下穴の形状が複雑で下穴形成に時間を要すことが考えられ、コスト的に問題がある。
【００１２】
また、特許文献３の補助具は釘に対して有効であると考えられるが、この保持具をタッピンネジに適用するとネジ山を有する胴体部が支持されることになり、ネジ山を破損する可能性が考えられる。
【００１３】
本発明は、タッピンネジを締結材に垂直に支持することで締結材への傾きによる食い込みを抑制する補助具を提供することを目的とする。
【課題を解決するための手段】
【００１４】
本発明のタッピンネジ締込補助具は、円錐筒ガイド部とベース部とから構成する。
【００１５】
円錐筒ガイド部は、開口する上端から円錐状に挟径して下端まで円錐筒をなし、円錐筒の内壁はタッピンネジのネジ頭側面を摺動してガイドし、その下端はタッピンネジのネジ部を通過させる径で開口し、円錐筒の側面に上端から下端まで破断容易の第１のミシン目を形成したものである。
【００１６】
ベース部は、締結材に当接する平面のほぼ中央に円錐筒ガイド部の下端を下に立設し、平面に形成した貫通穴は下端の開口に連なり、平面に第１のミシン目に連続して平面の周縁に向かって破断容易の第２のミシン目を形成したものである。
【００１７】
本発明のタッピンネジ締込補助具の使用に当たっては、タッピンネジ締込補助具を締結材上に置かれた被締結材にベース部の底面を当て、タッピンネジ締込補助具の円錐筒ガイド部の下端に開口する穴を被締結材を介して締結材の下穴に合わせ、タッピンネジ締込補助具の上端からタッピンネジを挿入した後にドライバーでタッピンネジのネジ頭を締込む（ネジ込む）。締込みによりタッピンネジが締結材の中に進行すると、ネジ頭の側面が円錐筒ガイド部の内壁を外に向かって押圧し、円錐筒ガイド部側面に形成したミシン目が破断する。さらにタッピンネジの進行に伴ってベース部のミシン目の破断が起こり、タッピンネジ締込補助具をタッピンネジから取り外せる状態になったら取り外す。取り外した後、ネジ頭が適切な位置になるまで締込みを続け、締結を完了する。
【発明の効果】
【００１８】
タッピンネジの締込みにより、タッピンネジのネジ頭は円錐筒ガイド部の内壁にガイドされて締結材に進行するので、タッピンネジは締結材に対して垂直に保たれた状態でタップ切りを行うことが可能となる。また、タッピンネジ締込補助具は、タッピンネジの締込みの途中でミシン目が破断し、タッピンネジから容易に取り外しできる。
【発明を実施するための最良の形態】
【００１９】
（実施形態その１）
本発明のタッピンネジ締込補助具１００について図１〜図３を用いて説明する。タッピンネジ締込補助具１００は、図１に示すように円錐筒ガイド部１１０とベース部１２０とから構成される。円錐筒ガイド部１１０は円錐筒の形状をなし、上部から下部にかけて径は小さくなっていく。上部と下部はそれぞれ開口しており上部開口部１１１と下部開口部１１２とを形成している。
【００２０】
円錐筒ガイド部１１０の側面には二つのミシン目１１３、１１４を形成している。ミシン目１１３とミシン目１１４は円錐筒ガイド部１１０の軸心に対して対称の位置にある。本実施例ではをミシン目を二つ設けたが、少なくとも一つは必要とする。後述するが、タッピンネジ１０のネジ頭部側面が締込みにおいて円錐筒ガイド部１１０の内壁を擦りながら進み、円錐筒ガイド部１１０の軸心から外に向かう応力が働くと、ミシン目が容易に破壊することが求められる。
【００２１】
ベース部１２０は、円錐筒ガイド部１１０と一体成型されて作られており、その中央位置に図１では見えない貫通穴が形成されている。その貫通穴は円錐筒ガイド部１１０下部の下部開口部１１２の径と同一で連なっている。即ち、タッピンネジ締込補助具１００の上部から下部に向けて開口している。
【００２２】
ベース部１２０にも二つのミシン目１２１、１２２が形成され（ミシン目１２２は、円錐筒ガイド部１１０に隠れており、図示されていない）、そのミシン目１２１、１２２は円錐筒ガイド部１１０のミシン目１１３、１１４に連なっている。
【００２３】
図１に示したタッピンネジ締込補助具１００は、呼び径５ｍｍ、長さ１６ｍｍのタッピンネジに対する補助具の例であり、ベース部１２０の底面から円錐筒ガイド部１１０の上縁までの高さは２２ｍｍ、ベース部１２０は正方形で一辺が２０ｍｍである。タッピンネジ締込補助具１００の材質は塩化ビニール樹脂で、円錐筒ガイド部１１０の厚さは０．５ｍｍ、ベース部１２０の厚さは１ｍｍである。
【００２４】
タッピンネジ締込補助具１００にタッピンネジ１０を入れたときの状態を図２に示す。図２（ａ）は上方から見た平面図を示し、図２（ｂ）は側面から見た断面図（但し、タッピンネジは側面図）を示している。図２（ｂ）に示すように、タッピンネジ１０の先端部は円錐筒ガイド部１１０の下部の下部開口部１１２と被締結材３０の穴３１を通って締結材２０の下穴２１に一部が入っている。前述したように、下穴２１の径は、タッピンネジ１０の切り刃先端のネジ山の１〜１．５ピッチが入る程度の径で形成しており、タッピンネジ締込補助具１００にタッピンネジ１０を入れたとき、タッピンネジ１０の先端部の一部が下穴２１の上部に入ることになる。
【００２５】
タッピンネジ１０のネジ頭の側面は、円錐筒ガイド部１１０の内壁に接して、あるいは近接して置かれる。タッピンネジ１０の締込みに従い、ネジ頭の側面は円錐筒ガイド部１１０の内壁に接し、内壁にガイドされてタッピンネジ１０は締結材に対して垂直下方に締込まれる。
【００２６】
また、図２（ａ）では、図１で円錐筒ガイド部１１０で隠れて見えなかったベース部１２０のミシン目１２２が円錐筒ガイド部１１０に形成したミシン目１１４と連続して形成していることが分かる。
【００２７】
図３はタッピンネジ締込補助具１００の使用例を説明する図である。
【００２８】
図３（ａ）は、締込み前の締結材２０、被締結材３０、タッピンネジ締込補助具１００およびタッピンネジ１０のそれぞれの垂直方向に配置する関係を示したパーツ図である。締結材２０にはタッピンネジ１０によりタップが形成される下穴２１が形成され、被締結材３０にはタッピンネジ１０胴体部を通す穴３１が形成されている。タッピンネジ１０は、タッピンネジ締込補助具１００を締結材２０に重ねた被締結材３０上に置いた状態で、タッピンネジ締込補助具１００の上部の上部開口部１１１から入れる。
【００２９】
図３（ｂ）は、タッピンネジ締込補助具１００に入れられたタッピンネジ１０をタッピンネジ締込補助具１００を例えば手で押さえながら（手は図示せず）、ドライバー４０で締込みを行っている状態を示している。この状態は締込みを始めた初期の状態であり、タッピンネジ１０のネジ頭は円錐筒ガイド部１１０の内壁にガイドされて垂直下方に締込みがなされる。本発明のタッピンネジ締込補助具１００は、このタッピンネジ１０のネジ頭の側面を円錐筒ガイド部１１０の内壁でガイドし、タッピンネジ１０の傾きを抑制しながら垂直に締込みが行われる点が特徴である。
【００３０】
さらに、タッピンネジ１０のネジ頭の側面は締込みにより内壁を軸心から外に向う応力を与えるが、図３（ｂ）の状態ではその応力は小さく、円錐筒ガイド部１１０に形成したミシン目１１３、１１４を破断するまに至っていない。
【００３１】
図３（ｃ）は、締込みが図３（ｂ）から進んだ状態で、タッピンネジ１０のネジ頭の側面からの応力に耐えきれずに円錐筒ガイド部１１０のミシン目１１３に破断が起こり、さらにベース面のミシン目１２１に破断が起こった状態を示している。
【００３２】
図３（ｄ）は、ミシン目１１３とミシン目１２１の破断によりタッピンネジ締込補助具１００をタッピンネジ１０から外し、タッピンネジ１０をさらに締め込んだ状態を示している。締込み完了時では、タッピンネジ１０の先端部は締結材２０がフレームの板のため下穴２１下方から突き出し、締結材２０の板厚内壁に切られたタップとタッピンネジ１０の胴体部のネジ山とで締結材２０と被締結材３０とを締結している。
【００３３】
図３（ｄ）にミシン目１１３とミシン目１２１とが破断して外されたタッピンネジ締込補助具１００を示しているが、他方のミシン目１１４とミシン目１２２が破断する場合、あるいは両方のミシン目が破断する場合もある。ミシン目の破断によってタッピンネジ締込補助具１００を外すことができる点も、本発明の特徴とする点である。
（実施形態その２）
実施形態その１では、ミシン目の破断によりタッピンネジ締込補助具１００をタッピンネジ１０から取り外すもので、使い捨ての補助具であった。実施形態その２は繰り返し使えるタッピンネジ締込補助具２００を提案するものである。
【００３４】
図４は、実施形態その２におけるタッピンネジ締込補助具２００の外観を示している。タッピンネジ締込補助具２００は図１に示すタッピンネジ締込補助具１００のミシン目に相当する位置で割った２つのパーツから構成する。即ち、円錐筒ガイド部２１０とベース部２２０から成るパーツ（図４（ａ）の右側）と、円錐筒ガイド部２１１とベース部２２１から成るパーツ（図４（ａ）の左側）である。ベース部２２０、２２１のそれぞれの底面に磁石２３０、２３１を張り付けている。
【００３５】
図４（ａ）に示されるように、締込み前の状態では磁石２３０、２３１の互いの吸着力により２つのパーツは一体となっている。この状態でタッピンネジ１０を上部から入れ、締込みを行う。タッピンネジ１０の締込みに伴い、タッピンネジ１０のネジ頭部の側面は円錐筒ガイド部２１０、２１１の内壁にガイドされ、締結材に垂直に締め込まれることになる。締込みが進むに従い、タッピンネジ１０の頭部側面の円錐筒ガイド部２１０、２１１の内壁に働く応力（内壁から外に向かう応力）は強くなり、この応力が磁石２３０、２３１の相互の吸着力に打ち勝って２つに割れる。タッピンネジ締込補助具２００が割れた状態でタッピンネジ締込補助具２００を締込み位置から取り外し、さらにタッピンネジ１０を締込みを行う。図４（ｂ）は、分割したタッピンネジ締込補助具２００を示している。
【００３６】
タッピンネジ締込補助具２００の円錐筒ガイド部２１０、２１１およびベース部２２０、２２１の材質は例えばオーステナイト系のＳＵＳ（非磁性体）で厚さは０．３ｍｍ、磁石は例えばフェライト磁石で厚さは１．５ｍｍである。タッピンネジ締込補助具２００の全体の外観寸法はタッピンネジ締込補助具１００と略同一である。
【図面の簡単な説明】
【００３７】
【図１】本発明のタッピンネジ締込補助具の構造例(実施形態その1)である。
【図２】タッピンネジを入れた状態のタッピンネジ締込補助具(実施形態その1)である。
【図３】タッピンネジ締込補助具の使用例である。
【図４】本発明のタッピンネジ締込補助具の構造例（実施形態その２）である。
【図５】従来のタッピンネジの締込み例である。
【符号の説明】
【００３８】
１０    タッピンネジ
２０    締結材
２１    下穴
３０    非締結材
３１    穴
４０    ドライバー
１００  タッピンネジ締込補助具
１１０  円錐筒ガイド部
１１１  上部開口部
１１２  下部開口部
１１３  ミシン目
１１４  ミシン目
１２０  ベース部
１２１  ミシン目
１２２  ミシン目
２００  タッピンネジ締込補助具
２１０  円錐筒ガイド部
２１１  円錐筒ガイド部
２２０  ベース部
２２１  ベース部
２３０  磁石
２３１  磁石
【図１】
2010089207.tif 000003
【図２】
2010089207.tif 000004
【図３】
2010089207.tif 000005
【図４】
2010089207.tif 000006
【図５】
2010089207.tif 000007